(57)【特許請求の範囲】
【請求項１】
上シートと中シートと下シートとの三枚のシートが重ね合わされて剥離可能に貼り合わされ、前記シートの重ね合わせにより覆われる重ね合わせ対向面に隠蔽情報が設けられている重ね合わせシートからなる隠蔽情報所持体であって、
重ね合わせシートの上下辺部それぞれにおいて、前記中シートの上辺と下辺とのそれぞれに、上シートと下シートとの間に位置する引き寄せ部材が切断部を介して形成されていて、
重ね合わせシートの一方の側辺部において、上シートの側辺とこれに相対する中シートの前記引き寄せ部材を除く側辺とが強接着され、かつ、上下の引き寄せ部材の側辺とこれに相対する下シートの側辺とが強接着され、
重ね合わせシートの他方の側辺部において、下シートの側辺とこれに相対する中シートの前記引き寄せ部材を除く側辺とが強接着され、かつ、上下の引き寄せ部材の側辺とこれに相対する上シートの側辺とが強接着されていることを特徴とする隠蔽情報所持体。
【発明の詳細な説明】
【０００１】
【発明の属する技術分野】
本発明は重ね合わせ対向面に隠蔽情報を所持する重ね合わせ葉書などの隠蔽情報所持体に関するものである。
【０００２】
【発明が解決しようとする課題】
従来、重ね合わせ葉書などのように三つ折りシートからなる両面見開き形式の隠蔽情報所持体にあっては、Ｚ折りして重ね合わせ重ね合わせ対向面が剥離可能に貼り合わされているものがあり、その重ね合わせ対向面に設けた隠蔽情報が重ね合わせ状態時には隠蔽され、見開きをすることでその隠蔽情報を見ることができるようにしたものであった。
しかしながら、上記両面見開き形式の隠蔽情報所持体では見開き操作した時に曲がり癖が付き、重ね合わせ部分全てを見開いた後では三つ折りシートの折り部分が完全に開いて各面部それぞれが反っている展開状態となってしまう。そのため、三つ折りシートの表裏それぞれに設けられている隠蔽情報を読む場合には取り扱い難い状態になるという不都合があった。
そこで、本発明は上記事情に鑑み、両方の見開き部分がそれぞれ一度見開き操作されたものであっても、反りを生じさせずに、一方の見開き部分を開くときには他方の見開き部分が閉じているようにすることを課題とし、見開いて隠蔽情報を読む時の取り扱いが煩雑にならないようにすることを目的とする。
【０００３】
【課題を解決するための手段】
本発明は上記課題を考慮してなされたもので、上シートと中シートと下シートとの三枚のシートが重ね合わされて剥離可能に貼り合わされ、前記シートの重ね合わせにより覆われる重ね合わせ対向面に隠蔽情報が設けられている重ね合わせシートからなる隠蔽情報所持体であって、重ね合わせシートの上下辺部それぞれにおいて、前記中シートの上辺と下辺とのそれぞれに、上シートと下シートとの間に位置する引き寄せ部材が切断部を介して形成されていて、重ね合わせシートの一方の側辺部において、上シートの側辺とこれに相対する中シートの前記引き寄せ部材を除く側辺とが強接着され、かつ、上下の引き寄せ部材の側辺とこれに相対する下シートの側辺とが強接着され、重ね合わせシートの他方の側辺部において、下シートの側辺とこれに相対する中シートの前記引き寄せ部材を除く側辺とが強接着され、かつ、上下の引き寄せ部材の側辺とこれに相対する上シートの側辺とが強接着されていることを特徴とする隠蔽情報所持体を提供して、上記課題を解消するものである。
【０００４】
【発明の実施の形態】
つぎに本発明を図１から図９に示す実施の形態に基づいて詳細に説明する。
図中１は隠蔽情報所持体で、該隠蔽情報所持体１は、図１と図２に示されているように、上シート２と中シート３と下シート４との三枚のシートが重ね合わされたものであり、前記三シート２、３、４の重ね合わせ対向面５に設けた弱接着手段６により剥離可能に貼り合わされている重ね合わせシートＡとしている（図３参照）。そして、図２に示されているように、三シート２、３、４それぞれの重ね合わせ対向面５には隠蔽情報７が設けられていて、重ね合わせシートＡの形態時にはこれらの隠蔽情報７が隠蔽され、上シート２と中シート３との間、また、中シート３と下シート４との間を開くことで隠蔽情報７を見ることができるように設けられている。
重ね合わせシートＡである上記隠蔽情報所持体１では、その上下辺部Ｂ、Ｃにおいて帯状として幅方向に亘る引き寄せ部材８が存在しているものであって、前記中シート３の上辺と下辺とのそれぞれに前記引き寄せ部材８が切断部９を介して連接され、この引き寄せ部材８が上シート２と下シート４との間に配置されている。この上下の引き寄せ部材８も中シート３の上辺と下辺とのそれぞれに沿ってスリットやカット部の長いミシン目などからなる前記切断部９を入れることで形成されているものであり、図４に示されているように、引き寄せ部材８の両面が重ね合わせで対向する上下シート２、４に対して弱接着手段６により剥離可能に貼り合わされている。
【０００５】
この隠蔽情報所持体１では両面見開き形式のものであって、上シート２と中シート３との間を見開いたときに中心となる部分は、重ね合わせシートＡの形態での一方の側辺部Ｄ側とされ、また、中シート３と下シート４との間を見開いたときに中心となる部分は、他方の側辺部Ｅ側としている。そして、見開きしたときの中心となるそれぞれの部分は相対するシートの側辺相互を強接着手段１０にて強接着してなるものであり、図２と図３に示されているように、側辺部Ｄにおいて、上シート２の側辺とこれに相対する中シート３の前記引き寄せ部材８を除く側辺とが強接着されている。また、他方の側辺部Ｅにおいて、下シート４の側辺とこれに相対する中シート３の前記引き寄せ部材８を除く側辺とが強接着されている。
このように強接着手段１０にて接着された上シート２と中シート３との強接着部１１と中シート３と下シート４との強接着部１１とを重ね合わせシートＡの左右の側辺部ＤとＥとに分けたことで、この隠蔽情報所持体１が両面見開き形式のものなっており、例えば、図５に示すように上シート２を重ね合わせシートＡの側辺部Ｅ側から引き開くことで上シート２と中シート３との重ね合わせ対向面５における隠蔽情報を目視することができ、図示していないが、下シート４にあっては側辺部Ｄ側から引き開くことで下シート４と中シート３との重ね合わせ対向面５における隠蔽情報を目視することができるようになる。
【０００６】
さらに、この隠蔽情報所持体１では、重ね合わせシートＡの形態での側辺部Ｄにおいて、上下の引き寄せ部材８の側辺とこれに相対する下シート４の側辺とが強接着手段１０により強接着され、同じく重ね合わせシートＡの形態での他方の側辺部Ｅにおいて、上下の引き寄せ部材８の側辺とこれに相対する上シート２の側辺とが強接着されている（図６参照）。これによって、上シート２の見開き側の側辺と下シート４の見開き側の側辺とが引き寄せ部材８によって連結された状態となっており、上シート２と下シート４とのそれぞれが既に見開いたものであっても、例えば、図５に示すように上シート２を見開くことで前記引き寄せ部材８を介して下シート４の見開き側の側辺が側辺部Ｄ側に引き寄せられた状態のままとなり、下シート４と中シート３との間が開くことがなく、同様に、図示されていないが下シート４を見開くことで引き寄せ部材８を介して上シート２の見開き側の側辺が側辺部Ｅ側に引き寄せられた状態のままとなり、上シート２と中シート３との間が開かないようになる。
このように一方の見開き部分を開けば他方の見開き部分が開かないように保持されるため、見開き時の隠蔽情報所持体１の取り扱いが煩雑にならず、また、一旦見開き操作した後にこの隠蔽情報所持体１を静置しても、上シート２や下シート４が自然にめくれるという状態にはならず、見開き操作した後でも隠蔽情報所持体１の姿が整ったものとなる。
【０００７】
図７（イ）（ロ）は上記構造の隠蔽情報所持体１をＺ折りにて得る三つ折りシート１２の一例の表裏を示している。この三つ折りシート１２では上シート２と中シート３と下シート４とが折り部１３を介して連接されていて、Ｚ折りしたときの重ね合わせ対向面５に上記弱接着手段６が設けられている。また、、図７（イ）に示されているように、Ｚ折りしたときに上記側辺部Ｄ側に位置して相対する上シート２と中シート３とのそれぞれの側辺に強接着手段１０が設けられているととも、側辺部Ｅ側に位置して相対する引き寄せ部材８と上シート２とのそれぞれの側辺に強接着手段１０が設けられている。さらに、図７（ロ）に示されているように、Ｚ折りしたときに上記側辺部Ｅ側に位置して相対する中シート３と下シート４とのそれぞれの側辺に強接着手段１０が設けられているととも、側辺部Ｄ側に位置して相対する引き寄せ部材８と下シート４とのそれぞれの側辺に強接着手段１０が設けられている。
そして、上記三つ折りシート１２をＺ状に折り重ねて三枚のシート２、３、４を貼り合わせ、図８に示すように、強接着部１１の領域内でスリット（スリット位置を符号１４として示す）して重ね合わせシートＡの側辺部の余剰部分を断裁することで上記重ね合わせ情報所持体１が得られるようになる。
【０００８】
図９（イ）（ロ）は隠蔽情報所持体１を巻き折りにて得るようにした三つ折りシート１２の一例の表裏を示している。この三つ折りシート１２では一端側から上シート２と下シート４と中シート３との順に折り部１３を介して連接されていて、重ね合わせ対向面５に弱接着手段６が設けられているとともに、図９（イ）に示されているように、巻き折りしたときに上記側辺部Ｅ側に位置して相対する中シート３と下シート４とのそれぞれの側辺に強接着手段１０が設けられ、側辺部Ｄ側に位置して相対する引き寄せ部材８と下シート４とのそれぞれの側辺に強接着手段１０が設けられ、さらに、巻き折りしたときに側辺部Ｄ側に位置する上シート２の側辺と側辺部Ｅ側において引き寄せ部材８の位置に相対応する部分に強接着手段１０が設けられている。そして、図９（ロ）に示すように、巻き折りしたときに側辺部Ｅ側に位置する中シート２の側辺（引き寄せ部材の部分を除く）と側辺部Ｄ側に位置する引き寄せ部材８の側辺とにも強接着手段１０が設けられている。
この三つ折りシート１２においても中シート３が内側となるように巻き折りして重ね合わせて三シート２、３、４を貼り合わせ、強接着部１１の領域内でスリットすることで隠蔽情報所持体１が得られる。
なお、図において１５は指掛かりを得るためのカット線であり、折り部１３側が開いた略円弧状のものとされ、上記スリット１４による断裁位置に開いた部分がかかるように配置されている。
【０００９】
【発明の効果】
以上説明したように、本発明の隠蔽情報所持体によれば、上シートと中シートと下シートとの三枚のシートが重ね合わされて剥離可能に貼り合わされ、前記シートの重ね合わせにより覆われる重ね合わせ対向面に隠蔽情報が設けられている重ね合わせシートからなる隠蔽情報所持体であって、重ね合わせシートの上下辺部それぞれにおいて、前記中シートの上辺と下辺とのそれぞれに、上シートと下シートとの間に位置する引き寄せ部材が切断部を介して形成されていて、重ね合わせシートの一方の側辺部において、上シートの側辺とこれに相対する中シートの前記引き寄せ部材を除く側辺とが強接着され、かつ、上下の引き寄せ部材の側辺とこれに相対する下シートの側辺とが強接着され、重ね合わせシートの他方の側辺部において、下シートの側辺とこれに相対する中シートの前記引き寄せ部材を除く側辺とが強接着され、かつ、上下の引き寄せ部材の側辺とこれに相対する上シートの側辺とが強接着されていることを特徴とするものである。このように、上シートと下シートとの間にある引き寄せ部材を介して上シートの上下辺における見開き側と下シートの上下辺における見開き側とが連結された状態となり、上シートと中シートとの間を見開くようにすれば下シートが中シート側に重ね合わされた状態で保持され、逆に中シートと下シートとの間を見開くようにすれば上シートが中シート側に重ね合わされた状態で保持されるようになり、見開き時に隠蔽情報所持体全体が展開せずに取り扱い易いものとなる。そして、この隠蔽情報所持体を静置しても、上シートや下シートが自然にめくれるという状態にはならず、隠蔽情報所持体の姿が整ったものとなるなど、実用性に優れた効果を奏するものである。
【図面の簡単な説明】
【図１】本発明に係る隠蔽情報所持体の一例を示す説明図である。
【図２】一例を分解した状態で示す説明図である。
【図３】図１におけるａ−ａ線に沿った断面を示す説明図である。
【図４】図１におけるｂ−ｂ線に沿った断面を示す説明図である。
【図５】見開き状態を示す説明図である。
【図６】図１におけるｃ−ｃ線に沿った断面を示す説明図である。
【図７】三つ折りシートの一例を示す説明図である。
【図８】三つ折りシートを折り合わせた状態を示す説明図である。
【図９】他の三つ折りシートを示す説明図である。
【符号の説明】
１…隠蔽情報所持体
２…上シート
３…中シート
４…下シート
６…弱接着手段
７…隠蔽情報
８…引き寄せ部材
９…切断部
１０…強接着手段
１１…強接着部
１２…三つ折りシート
Ａ…重ね合わせシート
Ｂ、Ｃ…上下辺部
Ｄ…一方の側辺部
Ｅ…他方の側辺部
【図１】
0004216963.tif 000002
【図２】
0004216963.tif 000003
【図３】
0004216963.tif 000004
【図４】
0004216963.tif 000005
【図５】
0004216963.tif 000006
【図６】
0004216963.tif 000007
【図７】
0004216963.tif 000008
【図８】
0004216963.tif 000009
【図９】
0004216963.tif 000010